【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】
座標入力面に対する座標入力指示具の位置座標を算出する座標入力装置であって、
前記座標入力指示具の位置座標を算出する算出手段と、
前記算出手段により算出された位置座標の内、前記座標入力面と前記座標入力指示具との距離に関する所定座標に基づいて、前記位置座標を変更する変更手段と、
前記変更手段によって変更された位置座標を出力する出力手段と
を備えることを特徴とする座標入力装置。
【請求項２】
前記変更手段は、前記座標入力面と前記座標入力指示具との距離に関する座標に基づいて、前記位置座標値に所定係数を乗算することで、該位置座標を変更する
ことを特徴とする請求項１に記載の座標入力装置。
【請求項３】
前記変更手段によって変更された位置座標を補間する補間手段と
を更に備えることを特徴とする請求項１に記載の座標入力装置。
【請求項４】
ＸＹ平面及び該ＸＹ平面に対してＺ軸を定義した座標入力面に対する座標入力指示具の位置座標を算出する座標入力装置であって、
前記座標入力指示具の位置座標（Ｘ，Ｙ，Ｚ）を算出する算出手段と、
前記座標入力指示具が有する所定スイッチの動作状態を判定する判定手段と、
前記判定手段の判定結果に基づいて、前記算出手段で算出された（Ｘ，Ｙ，Ｚ）座標値の内のＺ座標値と所定値とを比較する比較手段と、
前記判定手段の判定結果、あるいは前記判定手段の判定結果及び前記比較手段の比較結果に基づいて、前記算出手段で算出された位置座標（Ｘ，Ｙ，Ｚ）の出力を制御する制御手段と
を備えることを特徴とする座標入力装置。
【請求項５】
前記制御手段は、前記判定手段の判定結果、あるいは前記判定手段の判定結果及び前記比較手段の比較結果に基づいて、前記算出手段で算出された位置座標（Ｘ，Ｙ，Ｚ）の座標出力形態を決定する
ことを特徴とする請求項４に記載の座標入力装置。
【請求項６】
前記座標出力形態は、前記算出手段で算出された位置座標（Ｘ，Ｙ，Ｚ）の内の少なくとも（Ｘ，Ｙ）座標値を出力する第１座標出力形態と、
前記算出手段で算出された所定位置座標（Ｘ，Ｙ，Ｚ）と、前記座標入力指示具の移動に伴って、その後、前記算出手段で算出される位置座標（Ｘ，Ｙ，Ｚ）との差分である差分座標値（Ｘ，Ｙ，Ｚ）を出力する第２座標出力形態と
を備えることを特徴とする請求項５に記載の座標入力装置。
【請求項７】
前記制御手段は、前記判定手段の判定結果、あるいは前記判定手段の判定結果及び前記比較手段の比較結果に基づいて、前記位置座標の出力の有無を決定する
ことを特徴とする請求項４に記載の座標入力装置。
【請求項８】
前記判定手段の判定の結果、前記所定スイッチが動作状態にある場合には、前記制御手段は、前記算出手段で算出された位置座標（Ｘ，Ｙ，Ｚ）の内の少なくとも（Ｘ，Ｙ）座標値を出力する
ことを請求項４に記載の座標入力装置。
【請求項９】
前記判定手段の判定の結果、前記所定スイッチが動作状態にない場合で、かつ前記比較手段の比較の結果、前記Ｚ座標値が所定値以下である場合には、前記制御手段は、前記算出手段で算出された位置座標（Ｘ，Ｙ，Ｚ）の内の少なくとも（Ｘ，Ｙ）座標値を出力する
ことを特徴とする請求項４に記載の座標入力装置。
【請求項１０】
前記算出手段で算出された所定位置座標（Ｘ，Ｙ，Ｚ）を第１位置座標として記憶する記憶手段と、
前記記憶手段で記憶された第１位置座標（Ｘ，Ｙ，Ｚ）と、前記座標入力指示具の移動に伴って、その後、前記算出手段で算出される位置座標（Ｘ，Ｙ，Ｚ）との差分を算出する差分算出手段とを更に備え、
前記判定手段の判定の結果、前記所定スイッチが動作状態にない場合で、かつ前記比較手段の比較の結果、前記Ｚ座標値が所定値以上である場合には、前記制御手段は、前記差分算出手段によって得られる差分座標値（Ｘ，Ｙ，Ｚ）を出力する
ことを特徴とする請求項４に記載の座標入力装置。
【請求項１１】
前記算出手段の座標算出サンプリングレートに基づいて、前記座標入力指示具による入力が連続入力状態であるか否かを判定する連続入力状態判定手段とを更に備え、
前記所定位置座標は、前記連続入力判定手段の判定結果に基づく連続入力状態中の有効な座標値の最初の座標値である
ことを特徴とする請求項１０に記載の座標入力装置。
【請求項１２】
前記判定手段の判定の結果、前記所定スイッチが動作状態にある場合で、かつ前記比較手段の比較の結果、前記座標値が所定値である場合には、前記制御手段は、前記算出手段で算出された位置座標（Ｘ，Ｙ，Ｚ）を出力しない
ことを請求項４に記載の座標入力装置。
【請求項１３】
ＸＹ平面及び該ＸＹ平面に対してＺ軸を定義した座標入力面を有する座標入力装置の座標入力指示具であって、
先端部に押圧可能な第１スイッチと、
当該座標入力指示具の筐体部に配置された少なくとも２個の第２及び第３スイッチと、
前記第２及び第３スイッチの少なくとも一方が動作状態にある場合に、第１制御信号を生成し、該第２及び第３スイッチの両方が動作状態にある場合に第２制御信号を生成する生成手段と
を備えることを特徴とする座標入力指示具。
【請求項１４】
座標入力面に対する座標入力指示具の位置座標を算出する座標入力装置の制御方法であって、
前記座標入力指示具の位置座標を算出する算出工程と、
前記算出工程により算出された位置座標の内、前記座標入力面と前記座標入力指示具との距離に関する所定座標に基づいて、前記位置座標を変更する変更工程と、
前記変更工程によって変更された位置座標を出力する出力工程と
を備えることを特徴とする座標入力装置の制御方法。
【請求項１５】
ＸＹ平面及び該ＸＹ平面に対してＺ軸を定義した座標入力面に対する座標入力指示具の位置座標を算出する座標入力装置の制御方法であって、
前記座標入力指示具の位置座標（Ｘ，Ｙ，Ｚ）を算出する算出工程と、
前記座標入力指示具が有する所定スイッチの動作状態を判定する判定工程と、
前記判定工程の判定結果に基づいて、前記算出工程で算出された（Ｘ，Ｙ，Ｚ）座標値の内のＺ座標値と所定値とを比較する比較工程と、
前記判定工程の判定結果、あるいは前記判定工程の判定結果及び前記比較工程の比較結果に基づいて、前記算出工程で算出された位置座標（Ｘ，Ｙ，Ｚ）の出力を制御する制御工程と
を備えることを特徴とする座標入力装置の制御方法。
【請求項１６】
座標入力面に対する座標入力指示具の位置座標を算出する座標入力装置の制御をコンピュータに機能させるためのプログラムであって、
前記座標入力指示具の位置座標を算出する算出工程のプログラムコードと、
前記算出工程により算出された位置座標の内、前記座標入力面と前記座標入力指示具との距離に関する所定座標に基づいて、前記位置座標を変更する変更工程のプログラムコードと、
前記変更工程によって変更された位置座標を出力する出力工程のプログラムコードと
を備えることを特徴とするプログラム。
【請求項１７】
ＸＹ平面及び該ＸＹ平面に対してＺ軸を定義した座標入力面に対する座標入力指示具の位置座標を算出する座標入力装置の制御をコンピュータに機能させるためのプログラムであって、
前記座標入力指示具の位置座標（Ｘ，Ｙ，Ｚ）を算出する算出工程のプログラムコードと、
前記座標入力指示具が有する所定スイッチの動作状態を判定する判定工程のプログラムコードと、
前記判定工程の判定結果に基づいて、前記算出工程で算出された（Ｘ，Ｙ，Ｚ）座標値の内のＺ座標値と所定値とを比較する比較工程のプログラムコードと、
前記判定工程の判定結果、あるいは前記判定工程の判定結果及び前記比較工程の比較結果に基づいて、前記算出工程で算出された位置座標（Ｘ，Ｙ，Ｚ）の出力を制御する制御工程のプログラムコードと
を備えることを特徴とするプログラム。